(57)【要約】【課題】不快感を得にくい空調システムを提供する。【解決手段】吹き出し口一体型のスイッチ５を有する空調システム１は、スイッチ５への導電体の近接を検出する静電センサ４と、静電センサ４において近接が検出された場合に、検出される前と比較して吹き出し口３から吹き出される空調風が近接対象に対して弱まるように調整する空調制御部２を備える。【選択図】図１
2017136878.tif 000002
【特許請求の範囲】
【請求項１】
吹き出し口一体型のスイッチを有する空調システムにおいて、
前記スイッチへの物体の近接を検出する検出部と、
前記検出部において前記スイッチへ物体の近接が検出された場合に、物体の近接が検出される前と比較して前記吹き出し口から吹き出される空調風が物体に対して弱まるように若しくは当たらないように調整する制御部とを備える空調システム。
【請求項２】
請求項１に記載の空調システムにおいて、
前記制御部は、前記検出部を通じて前記スイッチへ物体の近接が検出された場合に、物体の近接が検出される前と比較して前記空調風の風量を減少させる若しくは零にする空調システム。
【請求項３】
請求項１又は２に記載の空調システムにおいて、
前記制御部は、前記検出部を通じて前記スイッチへ物体の近接が検出された場合に、物体の近接が検出される前と比較して物体に対して離間する方向に前記空調風の風向を調整する空調システム。
【請求項４】
請求項３に記載の空調システムにおいて、
前記制御部は、前記検出部を通じて物体が接近する方向を判断し、当該物体が接近する方向を避けるように前記空調風の方向を調整する空調システム。
【発明の詳細な説明】
【技術分野】
【０００１】
本発明は、空調システムに関する。
【背景技術】
【０００２】
特許文献１などの車両用の空調装置がある。このような車両用の空調装置には、吹き出し口と一体で、温度や風量を調整するためのスイッチが設けられているものがある。
【先行技術文献】
【特許文献】
【０００３】
【特許文献１】特開２００５−２８０６６９号公報
【発明の概要】
【発明が解決しようとする課題】
【０００４】
吹き出し口の中心、あるいは吹き出し口の近傍にスイッチが設けられていると、スイッチを操作しようとする手に、吹き出し口から引き出す空調風があたる。空調風の温度や風量によっては、スイッチの操作者が手に当たる空調風によって不快感を得ることがある。
【０００５】
本発明の目的は、不快感を得にくい空調システムを提供することにある。
【課題を解決するための手段】
【０００６】
上記課題を解決するために、吹き出し口一体型のスイッチを有する空調システムは、前記スイッチへの物体の近接を検出する検出部と、前記検出部において前記スイッチへ物体の近接が検出された場合に、物体の近接が検出される前と比較して前記吹き出し口から吹き出される空調風が物体に対して弱まるように若しくは当たらないように調整する制御部とを備えることを要旨とする。
【０００７】
このシステムによれば、スイッチを操作する手に当たる空調風が弱い若しくは空調風自体が手に当たらないので、スイッチの操作者は、空調風による不快感を得にくい。
上記システムにおいて、前記制御部は、前記検出部を通じて前記スイッチへ物体の近接が検出された場合に、物体の近接が検出される前と比較して前記空調風の風量を減少させる若しくは零にすることが好ましい。
【０００８】
このシステムによれば、吹き出される風の風量が減少する若しくは零となることにより、スイッチを操作する手に当たる空調風が弱い若しくは空調風自体が手に当たらないので、スイッチの操作者は、空調風による不快感を得にくい。
【０００９】
上記システムにおいて、前記制御部は、前記検出部を通じて前記スイッチへ物体の近接が検出された場合に、物体の近接が検出される前と比較して物体に対して離間する方向に前記空調風の風向を調整することが好ましい。
【００１０】
このシステムによれば、スイッチを操作する手から離れるように、空調風の風向が調整される。このため、スイッチを操作する手に当たる空調風が弱まる若しくは空調風自体が手に当たらないので、スイッチの操作者は、空調風による不快感を得にくい。
【００１１】
上記システムにおいて、前記制御部は、前記検出部を通じて物体が接近する方向を判断し、当該物体が接近する方向を避けるように前記空調風の方向を調整することが好ましい。
【００１２】
このシステムによれば、スイッチを操作する手に空調風が当たりにくくなる若しくは空調風自体が手に当たらないので、スイッチの操作者は、空調風による不快感を得にくい。
【発明の効果】
【００１３】
本発明の空調システムは、空調風による不快感を得にくいという効果を有する。
【図面の簡単な説明】
【００１４】
【図１】空調システムの概略構成を示すブロック図。
【図２】（ａ）は吹き出し口の正面図、（ｂ）はスイッチを省略した吹き出し口の正面図、（ｃ）はスイッチ及び左右方向制御板を省略した吹き出し口の正面図。
【図３】（ａ）は手が接近する瞬間の吹き出し口の正面図、（ｂ）は手が接近した直後の吹き出し口の正面図。
【発明を実施するための形態】
【００１５】
以下、車両に搭載される空調システムの一実施形態について図面に従って説明する。
図１に示すように、空調システム１は、空調制御部２、吹き出し口３、静電センサ４、スイッチ５、風向制御板６、熱交換機７、及びファン８を備える。静電センサ４、スイッチ５、及び熱交換機７は、空調制御部２に電気的に接続されている。風向制御板６は風向制御用モータ１１を介して、ファン８はファン制御用モータ１２を介して、それぞれ空調制御部２に接続されている。
【００１６】
吹き出し口３は、空調風を車室内に吹き出す部位である。図２（ａ）に示すように、吹き出し口３は、円筒状とされている。
静電センサ４は、手などの導電体の近接を検出する。図２（ａ）に示すように、静電センサ４は、吹き出し口３の先端部において環状に配置されている。
【００１７】
スイッチ５は、空調の設定、例えば温度、吹き出し口選択などのモード等を変更する際に操作される。図２（ａ）に示すように、スイッチ５は、吹き出し口３先端の中央部に位置する。なお、スイッチ５は、操作によって変更する機能の表示部を兼ねていてもよい。
【００１８】
風向制御板６は、吹き出し口３から吹き出される空調風の向きを調整する板である。図２（ｂ）及び図２（ｃ）に示すように、風向制御板６は、吹き出し口３の内部、すなわちスイッチ５よりも奥に位置する。なお、風向制御板６は、空調風の上下方向の向きを調整するための上下方向調整用制御板６ａと、空調風の左右方向の向きを調整するための左右方向調整用制御板６ｂとの総称である。風向制御板６は、風向制御用モータ１１が駆動することにより傾き、空調風の向きを調整する。なお、風向制御用モータ１１は、上下方向調整用制御板６ａの傾きを調整するための上下方向調整用モータ（図示省略）と、左右方向調整用制御板６ｂの傾きを調整するための左右方向調整用モータ（図示省略）との総称である。
【００１９】
なお、風向制御板６は、図示しない調節つまみに物理的に接続されている。このため、調節つまみへの操作を通じて、手動でも風向制御板６の傾きを調整することができる。
熱交換機７は、外気及び内気を取り込み熱交換する。
【００２０】
ファン８は、ファン制御用モータ１２が駆動することにより回転し、熱交換機７において熱交換された空気を吹き出し口３に送る。ファン８の回転速度、すなわちファン制御用モータ１２の駆動状態により、吹き出し口３から吹き出される空調風の強弱が切り替わる。
【００２１】
空調制御部２は、スイッチ５への操作を通じて入力される空調の設定に基づいて、熱交換機７及びファン制御用モータ１２を制御する。
また、空調制御部２は、静電センサ４における導電体の近接の検出を通じて、風向制御用モータ１１及びファン制御用モータ１２を制御する。詳述すると、空調制御部２は、静電センサ４において導電体の近接を検出すると、風向制御用モータ１１を駆動させて、導電体を避ける方向に空調風が吹き出すように風向制御板６の傾きを調整する。また、空調制御部２は、ファン制御用モータ１２の駆動を弱めて、ファン８の回転速度を減速させる。
【００２２】
次に、空調システム１の作用及び効果について説明する。なお、図３（ａ）にドットで示すように、空調風は吹き出し口３の全体から吹き出されているものとする。
図３（ａ）に示すように、スイッチ５を操作しようとする手（導電体）が吹き出し口３の下側から近づくと、これが静電センサ４により検出される。空調制御部２は、静電センサ４を通じて、吹き出し口３の下側から手の近接を検出すると、風向制御用モータ１１（上下方向調整用モータ）を駆動させて、上下方向調整用制御板６ａを上向きに傾ける。したがって、図３（ｂ）にドットで示すように、空調風は吹き出し口３の上半分から上方向に向かって吹き出される。これにより、吹き出し口３の下側からスイッチ５に近づく手に当たる空調風が弱い若しくは空調風自体が手に当たらない。このため、空調風の温度が高かったり低かったりしてもスイッチ５の操作者は、不快感を得にくい。
【００２３】
また、空調制御部２は、静電センサ４を通じて、吹き出し口３への手の近接を検出すると、ファン制御用モータ１２の駆動を弱めて、ファン８の回転速度を減速させる。したがって、吹き出し口３に手が近づく前と比較して、吹き出し口３から吹き出される空調風の風量が減少する。これにより、吹き出し口３に近づく手に当たる空調風が弱まる。このため、空調風の温度が高かったり低かったりしてもスイッチ５の操作者は、不快感を得にくい。
【００２４】
なお、上記実施形態は、以下のように変更してもよい。
・上記実施形態において、空調制御部２は、静電センサ４を通じて、吹き出し口３への手（導電体）の近接を検出すると、風向制御用モータ１１を駆動させて風向制御板６を傾けるとともに、ファン制御用モータ１２の駆動を弱めてファン８の回転速度を減速させたが、これらのうちどちらか一方でも実行されればよい。このように構成した場合でも、手に当たる空調風が弱い若しくは空調風自体が手に当たらないので、スイッチ５の操作者は、不快感を得にくい。
【００２５】
・上記実施形態では、静電センサ４によって手（導電体）の吹き出し口３への近接を検出したが、他の方式、例えば赤外線センサやカメラ画像などにより吹き出し口３への近接を検出するものであってもよい。また、検出対象は、導電体に限らず、物体であってもよい。
【００２６】
また、空調制御部２は、例えば、複数の近接センサの検出結果から物体の接近する方向を判断し、当該物体の接近する方向を避けるように風向制御用モータ１１の駆動制御を通じて空調風の方向を調整してもよい。
【００２７】
例えば、図３（ａ）及び図３（ｂ）に示すように、吹き出し口３に接近する手（物体）が、吹き出し口３の右下方から接近するような場合には、空調風が同右下方を避けるように、すなわち上方に向かうように、空調制御部２は、風向制御用モータ１１の駆動制御を行う。このように構成しても、スイッチを操作する手に当たる空調風が弱い若しくは空調風自体が手に当たらないので、スイッチの操作者は、空調風による不快感を得にくい。
【００２８】
なお、物体の接近する方向の検出は、複数の近接センサの検出結果によるものに限らない。検出部単体で、物体の接近する方向を検出できるものであれば、空調制御部２において、物体の接近方向を演算しなくてもよい。
【００２９】
・上記実施形態では、上下方向調整用制御板６ａ及び左右方向調整用制御板６ｂにより、吹き出し口３から吹き出される空調風の上下方向及び左右方向を調整できたが、これら方向のうちどちらか一方のみ調整できるような構成であってもよい。
【００３０】
・上記実施形態では、吹き出し口３から吹き出される空調風の風向を風向制御板６により変更していたが、吹き出し口３そのものを傾けてもよい。
・上記実施形態において、吹き出し口３から吹き出される空調風の風量は、ファン制御用モータ１２の駆動制御によるファン８の回転速度制御によって調整したが、次のように調整してもよい。すなわち、複数の吹き出し口３のうち、特定の吹き出し口３への手（導電体）の近接を検出した場合には、その特定の吹き出し口３への空調風の供給を図示しない遮断壁等により遮断する。すなわち、空調風の風量を零にする。このように構成すれば、手が近づいた吹き出し口３からは、空調風が吹き出されないので、手に空調風が当たらないので、空調風の温度が高かったり低かったりしても、スイッチ５の操作者は、不快感を得にくい。なお、空調制御部２は、ファン制御用モータ１２の駆動を停止、すなわち、ファン８の回転を停止させて、空調風の風量を零にしてもよい。また、ここでは、特定の吹き出し口３への空調風の供給を遮断するとしたが、遮断は一例であり、吹き出し口３から吹き出される空調風の風量が減少すればよい。
【符号の説明】
【００３１】
１…空調システム、２…空調制御部、３…吹き出し口、４…静電センサ、５…スイッチ、６…風向制御板、７…熱交換機、８…ファン、１１，１２…モータ。
【図１】
2017136878.tif 000003
【図２】
2017136878.tif 000004
【図３】
2017136878.tif 000005